(57)【要約】【課題】データの記録状況に応じて空き容量を確保する情報記録装置を提供する。【解決手段】データの記録開始の設定により、ＣＰＵ１５３が内部接続を適宜確立させ、コンテンツ送出装置１２０で所定のデータを取得させて、ＩＥＥＥ１３９４のデータバス１１０を介してＨＤ装置１３０へ送出させて記録させる。記録中のＨＤ装置１３０の空き容量を検出し、所定値以下となった場合に、既にＨＤ装置１３０に記録している他のデータを、データバス１１０を介してコンテンツ記録装置１４０へ移動させ、ＨＤ装置１３０の空き容量を確保させる。データの記録状況に応じてデータを適切に録画できる。【選択図】      図１
2005026777.tif 000002
【特許請求の範囲】
【請求項１】
データを取得するデータ取得手段と、
前記取得したデータを記録可能な第１の記録手段と、
この第１の記録手段における前記データの記録中に前記データを記録する空き容量を検出する内部状態検出手段と、
前記第１の記録手段に既に記録されたデータを記録可能な第２の記録手段と、
前記検出された第１の記録手段における空き容量が所定値以下となることを認識すると前記第１の記録手段に既に記録されているデータを前記第２の記録手段へ移動させて記録させる制御手段と、
を具備したことを特徴とした情報記録装置。
【請求項２】
請求項１に記載の情報記録装置であって、
前記第２の記録手段が複数設けられ、
前記制御手段は、前記第２の記録手段のいずれか１つに前記第１の記録手段に既に記録されているデータを移動させて記録させる
ことを特徴とした情報記録装置。
【請求項３】
請求項１または２に記載の情報記録装置であって、
前記第２の記録手段の前記データを記録する空き容量を検出する第２の内部状態検出手段を具備し、
前記制御手段は、前記内部状態検出手段にて検出する前記第１の記録手段における空き容量が所定値以下となることを認識すると、前記第２の内部状態検出手段にて検出する前記第２の記録手段における空き容量が所定値以上であることを認識することにより、前記第１の記録手段に既に記録されているデータを前記第２の記録手段へ移動させて記録させる
ことを特徴とした情報記録装置。
【請求項４】
請求項３に記載の情報記録装置であって、
前記制御手段は、第２の内部状態検出手段にて検出する前記第２の記録手段における空き容量が所定値以上でないことを認識すると、前記データ取得手段によるデータの取得または前記第１の記録手段へのデータの記録のうちの少なくともいずれか一方を停止する
ことを特徴とした情報記録装置。
【請求項５】
請求項１ないし請求項４のいずれかに記載の情報記録装置であって、
前記制御手段は、前記第１の記録手段における空き容量の減少状態を認識し、この空き容量の減少状態に基づいて前記内部状態検出手段にて前記第１の記録手段における空き容量を検出するタイミングを設定する
ことを特徴とした情報記録装置。
【請求項６】
請求項５に記載の情報記録装置であって、
前記制御手段は、前記データ取得手段により前記データを取得する際の時間当たりの取得するデータ量に基づいて前記第１の記録手段における空き容量の減少状態を認識する
ことを特徴とした情報記録装置。
【請求項７】
請求項５に記載の情報記録装置であって、
前記制御手段は、前記データ取得手段で取得したデータを前記第１の記録手段へ伝送する速度に基づいて前記第１の記録手段における空き容量の減少状態を認識する
ことを特徴とした情報記録装置。
【請求項８】
請求項５ないし請求項７のいずれかに記載の情報記録装置であって、
前記制御手段は、前記第１の記録手段における空き容量が減少する割合に対応して前記内部状態検出手段にて検出する間隔を短く設定する
ことを特徴とした情報記録装置。
【請求項９】
請求項１ないし請求項８のいずれかに記載の情報記録装置であって、
前記制御手段は、前記データ取得手段にて取得したデータの前記第１の記録手段への伝送、および、前記第１の記録手段から前記第２の記録手段へのデータの移動のうちの少なくともいずれか一方として、ＩＥＥＥ１３９４の規格に基づくデータが通過可能な電子回路網を経由させる
ことを特徴とした情報記録装置。
【請求項１０】
請求項１ないし請求項９のいずれかに記載の情報記録装置であって、
前記第１の記録手段は、前記データを記録しつつ移動が可能に構成された
ことを特徴とした情報記録装置。
【請求項１１】
データを取得するデータ取得手段と、
この取得したデータを記録可能な複数の記録手段と、
前記記録手段における前記データを記録する空き容量を検出する内部状態検出手段と、
前記取得したデータを前記複数の記録手段のうちのいずれかに記録させるとともに、このデータが記録される記録手段の空き容量が所定値以下となるとこの記録手段に既に記録されているデータを他の記録手段へ移動させる制御手段と、を具備し、
前記制御手段は、前記データが記録される記録手段における空き容量の減少状態を認識し、この空き容量の減少状態に対応するタイミングで前記内部状態検出手段により前記データが記録される記録手段の空き容量を検出させる
ことを特徴とした情報記録装置。
【請求項１２】
請求項１１に記載の情報記録装置であって、
前記制御手段は、前記記録手段の空き容量を前記データの記録中に認識する
ことを特徴とした情報記録装置。
【請求項１３】
入力されるデータを複数の記録手段のうちのいずれかに記録する情報記録装置であって、
前記入力されたデータを前記複数の記録手段のうちのいずれかに記録させるとともに、このデータが記録されている記録手段の空き容量が所定値以下となったことを認識するとこの記録手段に既に記録されているデータを他の記録手段へ移動させる制御手段を具備した
ことを特徴とした情報記録装置。
【請求項１４】
請求項１３に記載の情報記録装置であって、
前記制御手段は、電源投入時に前記記録手段の接続状態を認識し、前記データが記録されている記録手段の空き容量が所定値以下となったことを認識すると、このデータが記録されている記録手段以外の前記電源投入時に認識した他の記録手段の空き容量を順次検出し、前記データが記録されている記録手段に既に記録されているデータを、前記検出により所定値以上の空き容量であることを認識した他の記録手段へ移動させる
ことを特徴とした情報記録装置。
【請求項１５】
請求項１１ないし請求項１４のいずれかに記載の情報記録装置であって、
前記制御手段は、前記データを前記記録手段へ記録しつつこの記録手段に既に記録されているデータを他の記録手段へ移動させる
ことを特徴とした情報記録装置。
【請求項１６】
取得したデータを複数の記録手段のうちのいずれかに記録する情報記録方法であって、
前記取得したデータを前記複数の記録手段のうちのいずれかに記録するとともに、前記データを記録している前記記録手段における前記データの記録可能な空き容量を検出し、
この検出した空き容量が所定値以下となったことを認識すると、前記データを記録している記録手段に既に記録されているデータを、前記データを記録している記録手段以外の他の記録手段へ移動して記録させる
ことを特徴とする情報記録方法。
【請求項１７】
取得したデータを複数の記録手段のいずれかに記録する情報記録方法であって、
前記取得したデータが記録される前記記録手段における空き容量の減少状態を認識し、
この空き容量の減少状態に対応するタイミングで前記データが記録される記録手段の空き容量を検出し、
この検出した空き容量が所定値以下となったことを認識すると、前記データを記録する記録手段に既に記録されているデータを他の記録手段へ移動させる
ことを特徴とする情報記録方法。
【請求項１８】
入力されるデータを複数の記録手段のうちのいずれかに記録する情報記録方法であって、
前記入力されたデータを前記複数の記録手段のうちのいずれかに記録させるとともに、
このデータが記録されている記録手段の空き容量が所定値以下となったことを認識すると、この記録手段に既に記録されているデータを他の記録手段へ移動させる
ことを特徴とする情報記録方法。
【請求項１９】
請求項１６ないし請求項１８のいずれかに記載の情報記録方法を演算手段に実行させる
ことを特徴とした情報記録プログラム。
【請求項２０】
請求項１９に記載の情報記録プログラムが演算手段にて読取可能に記録された
ことを特徴とした情報記録プログラムを記録した記録媒体。
【発明の詳細な説明】
【０００１】
【発明の属する技術分野】
本発明は、データを複数の記録手段のいずれかに記録する情報記録装置、その方法、そのプログラム、および、そのプログラムを記録した記録媒体に関する。
【０００２】
【従来技術】
従来、例えば映像データや音声データなどのデータを記録する記録装置として、複数の記録部を有し、記録部におけるデータの記録可能な空き容量の大きさにより適宜記録部間でデータを移動させる構成が知られている（例えば、特許文献１）。
【０００３】
この特許文献１に記載のものは、制御部のＣＰＵが、第１記録装置の容量管理部および第２記録装置の容量管理部から第１の記録媒体の空き容量および第２の記録媒体の空き容量を検出するとともに、利用者による操作部の入力操作にて設定入力された予約録画内容に基づいて、予約録画に必要な予約映像情報量を検出する。そして、予約映像情報量が第１の記録媒体の空き容量より大きい場合、予約映像情報量から第１の記録媒体の空き容量を差し引いた不足予約情報量を算出する。この後、第１の記録媒体に記録されている映像情報の中から不足予約情報量以上の映像情報量を有する映像情報を選出し、第２の記録媒体に移動する処理をして、録画する映像情報を分割することなく記録するための空き容量を確保している。
【０００４】
【特許文献１】
特開２００２−１５２６４２号公報（第４頁右欄−第６頁右欄）
【０００５】
【発明が解決しようとする課題】
しかしながら、上記特許文献１に記載のものでは、あらかじめ利用者の入力操作により設定入力された予約録画内容に基づいて適宜映像情報を移動するので、例えば録画中に録画時間を延長したり映像データの映像信号方式が切り替わって映像情報量が増えたりするなどの場合には、空き容量が不足して録画できなくなるおそれがある。
【０００６】
本発明は、このような点に鑑みて、データの記録状況に応じて空き容量を確保する情報記録装置、その方法、そのプログラム、および、そのプログラムを記録した記録媒体を提供することを目的とする。
【０００７】
【課題を解決するための手段】
請求項１に記載の発明は、データを取得するデータ取得手段と、前記取得したデータを記録可能な第１の記録手段と、この第１の記録手段における前記データの記録中に前記データを記録する空き容量を検出する内部状態検出手段と、前記第１の記録手段に既に記録されたデータを記録可能な第２の記録手段と、前記検出された第１の記録手段における空き容量が所定値以下となることを認識すると前記第１の記録手段に既に記録されているデータを前記第２の記録手段へ移動させて記録させる制御手段と、を具備したことを特徴とした情報記録装置である。
【０００８】
請求項１１に記載の発明は、データを取得するデータ取得手段と、この取得したデータを記録可能な複数の記録手段と、前記記録手段における前記データを記録する空き容量を検出する内部状態検出手段と、前記取得したデータを前記複数の記録手段のうちのいずれかに記録させるとともに、このデータが記録される記録手段の空き容量が所定値以下となるとこの記録手段に既に記録されているデータを他の記録手段へ移動させる制御手段と、を具備し、前記制御手段は、前記データが記録される記録手段における空き容量の減少状態を認識し、この空き容量の減少状態に対応するタイミングで前記内部状態検出手段により前記データが記録される記録手段の空き容量を検出させることを特徴とした情報記録装置である。
【０００９】
請求項１３に記載の発明は、入力されるデータを複数の記録手段のうちのいずれかに記録する情報記録装置であって、前記入力されたデータを前記複数の記録手段のうちのいずれかに記録させるとともに、このデータが記録されている記録手段の空き容量が所定値以下となったことを認識するとこの記録手段に既に記録されているデータを他の記録手段へ移動させる制御手段を具備したことを特徴とした情報記録装置である。
【００１０】
請求項１６に記載の発明は、取得したデータを複数の記録手段のうちのいずれかに記録する情報記録方法であって、前記取得したデータを前記複数の記録手段のうちのいずれかに記録するとともに、前記データを記録している前記記録手段における前記データの記録可能な空き容量を検出し、この検出した空き容量が所定値以下となったことを認識すると、前記データを記録している記録手段に既に記録されているデータを、前記データを記録している記録手段以外の他の記録手段へ移動して記録させることを特徴とする情報記録方法である。
【００１１】
請求項１７に記載の発明は、取得したデータを複数の記録手段のいずれかに記録する情報記録方法であって、前記取得したデータが記録される前記記録手段における空き容量の減少状態を認識し、この空き容量の減少状態に対応するタイミングで前記データが記録される記録手段の空き容量を検出し、この検出した空き容量が所定値以下となったことを認識すると、前記データを記録する記録手段に既に記録されているデータを他の記録手段へ移動させることを特徴とする情報記録方法である。
【００１２】
請求項１８に記載の発明は、入力されるデータを複数の記録手段のうちのいずれかに記録する情報記録方法であって、前記入力されたデータを前記複数の記録手段のうちのいずれかに記録させるとともに、このデータが記録されている記録手段の空き容量が所定値以下となったことを認識すると、この記録手段に既に記録されているデータを他の記録手段へ移動させることを特徴とする情報記録方法である。
【００１３】
請求項１９に記載の発明は、請求項１６ないし請求項１８のいずれかに記載の情報記録方法を演算手段に実行させることを特徴とした情報記録プログラムである。
【００１４】
請求項２０に記載の発明は、請求項１９に記載の情報記録プログラムが演算手段にて読取可能に記録されたことを特徴とした情報記録プログラムを記録した記録媒体である。
【００１５】
【発明の実施の形態】
以下、本発明の情報記録装置における実施の形態を図面に基づいて説明する。本実施の形態では、データの記録として、映像データおよび音声データを録画する構成について説明するが、この限りではなく、画像データや各種プログラム、アプリケーションソフトウェアなどの各種データを記録する構成に適用できる。
【００１６】
〔第１の実施の形態〕
（情報記録装置の構成）
図１は、第１の実施の形態における情報記録装置の概略構成を示すブロック図である。この図１において、１００は情報記録装置で、この情報記録装置１００は、例えば映像データや音声データなどの情報であるデータを記録、すなわち録画する装置である。この情報記録装置１００は、データバス１１０と、コンテンツ送出装置１２０と、第１の記録手段としてのＨＤ（Ｈａｒｄ  Ｄｉｓｃ）装置１３０と、第２の記録手段としてのコンテンツ記録装置１４０と、ネットワークコントローラ１５０と、を備えている。
【００１７】
データバス１１０は、例えばＩＥＥＥ１３９４の規格に基づく情報が通過可能な電子回路網である。このデータバス１１０には、コンテンツ送出装置１２０と、ＨＤ装置１３０と、コンテンツ記録装置１４０と、ネットワークコントローラ１５０と、がそれぞれ接続されている。
【００１８】
コンテンツ送出装置１２０は、各種方法によりデータを取得するとともに、取得したデータをデータバス１１０に送出する。このコンテンツ送出装置１２０は、デバイス出力プラグ１２１と、データ取得手段としてのデータ取得部１２２と、コンテンツ送出部１２３と、を備えている。
【００１９】
デバイス出力プラグ１２１は、例えば論理的な概念であるデバイスプラグなどで、コンテンツ送出装置１２０からデータバス１１０を介して各種データを送出可能にデータバス１１０に着脱可能に接続される。
【００２０】
データ取得部１２２は、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの汎用のプロトコルに基づくイントラネット、エクストラネット、イーサネット（登録商標）などのＬＡＮ（Ｌｏｃａｌ  Ａｒｅａ  Ｎｅｔｗｏｒｋ）、無線媒体により情報が送受信可能な複数の基地局がネットワークを構成する通信回線網や放送網などのネットワークからデータを取得したり、いわゆるチューナのように無線媒体により直接受信したりする。なお、無線媒体としては、電波、光、音波、電磁波などのいずれの媒体をも適用できる。
【００２１】
コンテンツ送出部１２３は、データ取得部１２２に接続され、データ取得部１２２で取得したデータをデータバス１１０に出力する。このコンテンツ送出部１２３は、取得したデータの状態などの内部状態、例えばデータ取得部１２２で取得するデータの転送速度、ヘッダ、データ自体の内容、例えばデータ量やデータの種別、データのデコード開始時間情報などをも認識可能となっている。そして、コンテンツ送出部１２３は、論理的な概念である送出装置内部接続１２３Ａを介してデバイス出力プラグ１２１に接続されデータを送出する出力プラグ１２３Ｂを有している。なお、コンテンツ送出部１２３は、取得した内部状態に関するデータがデータバス１１０を介してネットワークコントローラ１５０で読取可能となっている。
【００２２】
ＨＤ装置１３０は、コンテンツ送出装置１２０から送出されるデータを適宜記録するとともに、記録するデータを適宜移動させる。このＨＤ装置１３０は、第１デバイスプラグ１３１と、ＨＤＤ本体部１３２と、ＨＤＤサブユニット部１３３と、を備えている。
【００２３】
第１デバイスプラグ１３１は、例えば論理的な概念であるデバイスプラグなどで、第１デバイス入力プラグ１３１Ａおよび第１デバイス出力プラグ１３１Ｂを有している。第１デバイス入力プラグ１３１Ａは、データバス１１０を介して送出されたデータを受信する。第１デバイス出力プラグ１３１Ｂは、ＨＤ装置１３０から各種データをデータバス１１０へ送出する。
【００２４】
ＨＤＤ本体部１３２は、図示しない記録媒体としてのＨＤと、このＨＤにデータを記録および記録されたデータを読み取る図示しないＨＤＤ（Ｈａｒｄ  Ｄｉｓｃ  Ｄｒｉｖｅ）と、を備えている。このＨＤＤ本体部１３２は、ＨＤＤサブユニット部１３３に接続されている。そして、ＨＤＤ本体部１３２は、ＨＤＤサブユニット部１３３にて制御され、ＨＤＤサブユニット部１３３から出力されるデータをＨＤＤにてＨＤに記録、および、ＨＤに記録されたデータをＨＤＤにて読み出してＨＤＤサブユニット部１３３へ出力する。
【００２５】
ＨＤＤサブユニット部１３３は、ＨＤＤ本体部１３２におけるデータの記録および読み出しを制御する。このＨＤＤサブユニット部１３３は、論理的な第１ＨＤＤ内部接続１３３Ａを介して第１デバイス入力プラグ１３１Ａに接続される論理的なＨＤ入力プラグ１３３Ｂと、論理的な第２ＨＤＤ内部接続１３３Ｃを介して第１デバイス出力プラグ１３１Ｂに接続される論理的なＨＤ出力プラグ１３３Ｄと、を有している。そして、ＨＤＤサブユニット部１３３は、データバス１１０から第１デバイス入力プラグ１３１Ａにて受信したデータを論理的な第１ＨＤＤ内部接続１３３Ａを介してＨＤ入力プラグ１３３Ｂにて受信し、ＨＤＤ本体部１３２へ適宜出力させるとともに、ＨＤ出力プラグ１３３Ｄから論理的な第２ＨＤＤ内部接続１３３Ｃおよび第１デバイス出力プラグ１３１Ｂを介してデータバス１１０へデータを送出する。
【００２６】
また、ＨＤＤサブユニット部１３３は、ＨＤ装置１３０の内部状態を検出する内部状態検出手段としての内部状態検出部１３３Ｅを有している。この内部状態検出部１３３Ｅにおける内部状態の検出としては、例えば、ＨＤＤ本体部１３２を制御してＨＤにおけるデータの記録可能な空き容量を検出したり、データバス１１０を通過するデータの信号種別を検出して単位時間当たりの記録量を検出して空き容量の減少状況を認識したりする。この内部状態検出部１３３Ｅは、検出した内部状態を論理的な概念の内部接続を介してデータバス１１０へ出力し、この出力された内部状態がネットワークコントローラ１５０にて読取可能となっている。
【００２７】
コンテンツ記録装置１４０は、ＨＤ装置１３０から移動されるデータを取得して適宜記録するとともに、記録するデータを適宜出力する。このコンテンツ記録装置１４０は、第２デバイスプラグ１４１と、記録本体部１４２と、コンテンツサブユニット部１４３と、備えている。
【００２８】
第２デバイスプラグ１４１は、例えば論理的な概念であるデバイスプラグなどで、第２デバイス入力プラグ１４１Ａおよび第２デバイス出力プラグ１４１Ｂを有している。第２デバイス入力プラグ１４１Ａは、データバス１１０を介してＨＤ装置１３０から移動されるデータを受信する。第２デバイス出力プラグ１４１Ｂは、コンテンツ記録装置１４０から各種データを送出する。
【００２９】
記録本体部１４２は、例えば光ディスクや光磁気ディスク、磁気ディスク、メモリなどの図示しない記録媒体にデータを記録および記録されたデータを読み取る図示しないドライブあるいはドライバを備えている。この記録本体部１４２は、コンテンツサブユニット部１４３に接続されている。そして、記録本体部１４２は、コンテンツサブユニット部１４３にて制御され、コンテンツサブユニット部１４３から出力されるデータをドライブにて記録媒体に記録、および、記録媒体に記録されたデータをドライブにて読み出してコンテンツサブユニット部１４３へ出力する。
【００３０】
コンテンツサブユニット部１４３は、記録本体部１４２におけるデータの記録および読み出しを制御する。このコンテンツサブユニット部１４３は、論理的な第１記録内部接続１４３Ａを介して第２デバイス入力プラグ１４１Ａに接続される論理的な記録入力プラグ１４３Ｂと、論理的な第２記録内部接続１４３Ｃを介して第２デバイス出力プラグ１４１Ｂに接続される論理的な記録出力プラグ１４３Ｄと、を有している。そして、コンテンツサブユニット部１４３は、データバス１１０から第２デバイス入力プラグ１４１Ａにて受信したデータを論理的な第１記録内部接続１４３Ａを介して記録入力プラグ１４３Ｂにて受信し、記録本体部１４２へ適宜出力させるとともに、記録出力プラグ１４３Ｄから論理的な第２記録内部接続１４３Ｃおよび第２デバイス出力プラグ１４１Ｂを介してデータバス１１０へデータを送出する。
【００３１】
また、コンテンツサブユニット部１４３は、例えば、記録本体部１４２で記録するデータの記録可能な空き容量を検出したり、空き容量の減少状況などの内部状態を検出可能となっている。すなわち、コンテンツサブユニット部１４３には、図示しない第２の内部状態検出手段が設けられている。この検出した内部状態に関するデータは、データバス１１０を介してネットワークコントローラ１５０にて読取可能となっている。
【００３２】
ネットワークコントローラ１５０は、情報記録装置１００全体の動作を制御し、外部から取得したデータを記録させる。すなわち、ネットワークコントローラ１５０は、データバス１１０に接続されるコンテンツ送出装置１２０、ＨＤ装置１３０およびコンテンツ記録装置１４０の動作を制御するとともに、データの記録状況を認識する。このネットワークコントローラ１５０は、内部バス１５１と、インターフェース部１５２と、制御手段としての中央演算装置（ＣＰＵ：Ｃｅｎｔｒａｌ  Ｐｒｏｃｅｓｓｉｎｇ  Ｕｎｉｔ）１５３と、記憶手段としての例えばメモリ１５４と、入力手段１５５と、などを備えている。
【００３３】
内部バス１５１は、各種信号を通過可能なバスである。この内部バス１５１には、インターフェース部１５２と、ＣＰＵ１５３と、メモリ１５４と、入力手段１５５と、が接続されている。
【００３４】
インターフェース部１５２は、データバス１１０に接続され、データバス１１０における例えばＩＥＥＥ１３９４の規格に基づくデータをアクセス可能、すなわちデータバス１１０から入力されるＩＥＥＥ１３９４の規格に基づくデータに対して、あらかじめ設定されている入力インターフェース処理を実行し、処理信号として内部バス１５１へ送出する。また、インターフェース部１５２は、内部バス１５１から処理信号が入力されると、あらかじめ設定されている出力インターフェース処理を実行し、ＩＥＥＥ１３９４の規格に基づくデータとしてデータバス１１０へ送出する。
【００３５】
ＣＰＵ１５３は、インターフェース部１５２を介してデータバス１１０に接続されているコンテンツ送出装置１２０、ＨＤ装置１３０およびコンテンツ記録装置１４０に接続し、これらコンテンツ送出装置１２０、ＨＤ装置１３０およびコンテンツ記録装置１４０の動作を制御する。具体的には、それぞれの論理的な内部接続を適宜確立させ、記録させるデータをコンテンツ送出装置１２０で取得させたり、取得したデータを送出させたり、ＨＤ装置１３０で記録させるデータを取得させたり、データを記録や移動させたり、移動されるデータをコンテンツ記録装置１４０で記録させたり、出力させるなどを実施させる。また、ＣＰＵ１５３は、各コンテンツ送出装置１２０、ＨＤ装置１３０およびコンテンツ記録装置１４０の記録状況などの内部状態に関するデータを取得する。具体的には、上述したように、コンテンツ送出部１２３やＨＤＤサブユニット部１３３の内部状態検出部１３３Ｅ、コンテンツサブユニット部１４３などにてそれぞれ認識した内部状態に関するデータである。
【００３６】
メモリ１５４は、ＣＰＵ１５３で各種処理を実施する際にデータを一時的に格納する。このメモリ１５４は、ＣＰＵ１５３の制御により、例えばＣＰＵ１５３で処理する各種情報を記憶および読み出す。
【００３７】
入力手段１５５は、例えば入力操作される図示しない各種操作ボタンや操作つまみなどを有している。そして、入力手段１５５は、各種操作ボタンや操作つまみなどの入力操作に対応して所定の信号を内部バス１５１に出力する。この入力手段１５５からの信号に基づいて、ＣＰＵ１５３で処理する内容が設定される。例えば、ウエッブブラウザによる画面表示で表示される表示画面中に設けられた所定のコマンドボタンの選択操作やチューニングなどの取得するデータの選出、あるいは、データの記録開始時間、記録時間、記録を実施させる機器がＨＤ装置１３０またはコンテンツ記録装置１４０のいずれかを選択するなどのデータの記録条件などが設定される。なお、この入力手段１５５としては、いわゆるリモートコントローラなどの無線媒体を介して入力操作に対応する信号を出力し、内部バス１５１に接続された受信部にて受信させてＣＰＵ１５３で設定させる構成などとしてもよい。
【００３８】
（情報記録装置の動作）
次に、上記情報記録装置１００の録画動作を図面に基づいて説明する。図２は、データの録画動作を示すフローチャートである。図３は、データをＨＤ装置１３０に録画する状態を説明するブロック図である。図４は、データをＨＤに録画しつつコンテンツ記録装置１４０へ移動する状態を説明するブロック図である。
【００３９】
まず、利用者は、図示しない電源を投入して電力を供給する。この電力の供給により、ネットワークコントローラ１５０のＣＰＵ１５３は、ポーリングすなわちデータバス１１０に接続されている各種機器を認識する。例えば、コンテンツ送出装置１２０、ＨＤ装置１３０およびコンテンツ記録装置１４０が接続されていることを認識する。そして、ＣＰＵ１５３は、接続されている機器の台数をメモリ１５４に記憶させる。
【００４０】
そして、利用者は、ネットワークコントローラ１５０の入力手段１５５を適宜入力操作し、適宜データを取得させて記録である録画を実施させる旨を設定する。すなわち、利用者による入力手段１５５の所定の入力操作にて、録画させるデータの選択処理やデータの録画条件などがＣＰＵ１５３で設定される。そして、ＣＰＵ１５３は、インターフェース部１５２を介してコンテンツ送出装置１２０を制御し、データ取得部１２２にて録画させるデータを選択させる。そして、選択されたデータを例えばスピーカなどの発音手段や表示装置などの出力装置にて音声や画像などにより利用者が認識し、入力手段１５５による所定の入力操作にて録画を開始させる旨をＣＰＵ１５３にて設定させる。この設定により、ＣＰＵ１５３は、図２のフローチャートに示すデータの記録処理である録画動作を実行させる。
【００４１】
すなわち、ＣＰＵ１５３は、まずコンテンツ送出装置１２０を制御し、データ取得部１２２でデータを取得させコンテンツ送出部１２３へ順次出力する。そして、ＣＰＵ１５３は、コンテンツ送出部１２３でデータを適宜処理、例えばＩＥＥＥ１３９４の規格に基づく信号に変換させる。さらに、ＣＰＵ１５３は、図３に示すように、コンテンツ送出装置１２０における論理的な送出装置内部接続１２３Ａを確立させて出力プラグ１２３Ｂをデバイス出力プラグ１２１に接続させるとともに、ＨＤ装置１３０における論理的な第１ＨＤＤ内部接続１３３Ｂを確立させて第１デバイス入力プラグ１３１Ａに論理的なＨＤ入力プラグ１３３Ｂを接続させ、コンテンツ送出装置１２０とＨＤ装置１３０とをデータが送受信可能に接続させる。この接続により、コンテンツ送出装置１２０で取得されて変換されたデータがデータバス１１０を介してＨＤ装置１３０へ順次転送され、ＨＤＤサブユニット部１３３によりＨＤに順次記録させる。
【００４２】
そして、ＣＰＵ１５３は、ＨＤ装置１３０にデータを記録中か否か、すなわちデータの記録を停止する旨の信号を認識したか否かを判断する（ステップＳ１）。このデータの記録を停止する旨の信号としては、例えば利用者による入力手段１５３の録画を停止する旨の入力操作に対応した信号、あるいはコンテンツ送出装置１２０で取得するデータにおいて最後のデータを取得して記録するデータの取得が完了した旨の信号、またはＨＤ装置１３０でのデータの記録動作が終了した旨の信号、さらにはあらかじめ設定されＣＰＵ１５３でカウントする時刻情報が録画時間に到達して記録を終了させる旨の信号などが例示できる。
【００４３】
このステップＳ１で、ＣＰＵ１５３がデータの記録を停止する旨の信号を認識した場合には、ＨＤ装置１３０における空き容量を増大、すなわちデータを記録する領域を確保する処理を終了させ（ステップＳ２）、データを録画する処理を終了する。すなわち、ＣＰＵ１５３は、コンテンツ送出装置１２０、ＨＤ装置１３０およびコンテンツ記録装置１４０における送出装置内部接続１２３Ａ、ＨＤＤ内部接続１３３Ａ，１３３Ｃおよび記録内部接続１４３Ａ，１４３Ｃを開放して各動作を停止させ録画処理を終了する。なお、ステップＳ１でデータの記録を停止する旨の信号を認識した場合、ステップＳ２に移行することなく直ちに録画を停止させる処理をしたり、ＨＤ装置１３０で空き容量一杯に録画させる処理をして空き容量が無くなった時点で録画を終了させるなどしてもよい。
【００４４】
一方、ステップＳ１において、ＣＰＵ１５３は、ＨＤ装置１３０でのデータを記録中、すなわちデータの記録を停止する旨の信号を認識しない場合には、電源投入時にあらかじめ認識しているＨＤ装置１３０のデータが録画可能な残りの空き容量を認識する（ステップＳ３）。具体的には、ＣＰＵ１５３は、ＨＤ装置１３０のＨＤＤサブユニット部１３３の内部状態検出部１３３Ｅにて検出した内部状態に関する情報を、データバス１１０を介して取得する。この内部状態に含まれる空き容量に関する情報を取得することにより、ＣＰＵ１５３は空き容量を認識する。なお、この空き容量に関する情報は、適宜メモリ１５４に記憶される。
【００４５】
そして、ＣＰＵ１５３は、ステップＳ３で認識したＨＤの空き容量があらかじめ設定されてメモリ１５４に記憶された所定の基準値以下か否かを判断する（ステップＳ４）。このステップＳ４において、ＨＤの空き容量が基準値以下になっていない、すなわち十分な空き容量であることを認識すると、所定の時間が経過、例えばＣＰＵ１５３で所定時間計時した後（ステップＳ５）、再びステップＳ１に戻って処理を継続、すなわちデータの録画を継続させる処理をする。
【００４６】
一方、ステップＳ４において、ＣＰＵ１５３は、ＨＤの空き容量が所定の基準値以下であることを認識すると、ＨＤＤサブユニット部１３３の内部状態検出部１３３Ｅからの内部状態に関する情報、すなわちＨＤに記録されているデータに関する情報であるデータ量や録画時間などを取得する。そして、ＣＰＵ１５３は、ＨＤＤサブユニット部１３３から取得した情報に基づいて移動させるデータを選択する（ステップＳ６）。このデータの選択としては、例えば入力手段１５３にて入力操作された録画時間、コンテンツ送出部１２３で認識したデータの内容に関する情報などに基づいて、所定のデータ量以上のデータを選択する。この後、ＣＰＵ１５３は、空き容量の処理台数ｎが「０」である旨を設定、すなわち「ｎ＝０」を設定し（ステップＳ７）、メモリ１５４に記憶させる。ここで、空き容量の処理台数ｎは、例えばＨＤ装置１３０を除くデータの記録が可能な機器、すなわちコンテンツ記録装置１４０の接続台数である。なお、処理台数ｎは、全ての接続された機器としてもよい。
【００４７】
そして、ＣＰＵ１５３は、空き容量の処理台数ｎが、例えば電源投入時に認識した機器の接続台数以下か否かを判断する（ステップＳ８）。このステップＳ８において、ＣＰＵ１５３は、空き容量の処理台数ｎが機器の接続台数以下ではない、すなわち全ての接続されたデータを記録可能な機器であるコンテンツ記録装置１４０の空き容量を確保するための処理が終了したことを認識すると、ステップＳ２に進み、データを録画する処理を終了する。
【００４８】
一方、ステップＳ８において、ＣＰＵ１５３は、空き容量の処理台数ｎが機器の接続台数以下であることを認識すると、コンテンツ記録装置１４０におけるデータが録画可能な残りの空き容量を認識する（ステップＳ９）。具体的には、ＣＰＵ１５３は、コンテンツ記録装置１４０のコンテンツサブユニット部１４３で検出した内部状態に関する情報を、データバス１１０を介して取得する。そして、内部状態に含まれる空き容量に関する情報を取得することにより、ＣＰＵ１５３はコンテンツ記録装置１４０の記録媒体の空き容量を認識する。なお、この空き容量に関する情報は、適宜メモリ１５４に記憶される。
【００４９】
この後、ＣＰＵ１５３は、コンテンツ記録装置１４０の記録媒体の空き容量が十分か否かを判断する（ステップＳ１０）。このステップＳ１０における空き容量の判断は、例えばステップＳ６で選択したデータを記録するための空き容量以上か否か、あるいはあらかじめ設定されてメモリ１５４に記憶された所定値以上の空き容量があるか否かなどが例示できる。そして、このステップＳ１０において、ＣＰＵ１５３は、空き容量を判断したコンテンツ記録装置１４０の空き容量が十分ではないと判断した場合、他のコンテンツ記録装置１４０における記録媒体の空き容量を認識するため、空き容量の処理台数ｎに「１」を加える処理、すなわち、「ｎ＝ｎ＋１」を設定する（ステップＳ１１）。このステップＳ１１で設定した空き容量の処理台数ｎは、メモリ１５４に適宜記憶される。そして、ステップＳ８に戻って、ＣＰＵ１５３は、順次接続されたコンテンツ記録装置１４０における記録媒体の空き容量を順次確認する処理を繰り返す。
【００５０】
一方、ステップＳ１０において、ＣＰＵ１５３は、コンテンツ記録装置１４０における記録媒体の空き容量が十分であると判断した場合、そのコンテンツ記録装置１４０へＨＤ装置１３０に既に記録されているステップＳ５で選択したデータを移動する処理をする（ステップＳ１２）。
【００５１】
すなわち、ＣＰＵ１５３は、図４に示すように、ＨＤ装置１３０のＨＤＤサブユニット部１３３のＨＤ出力プラグ１３３Ｄを論理的な第２ＨＤＤ内部接続１３３Ｃにより第１出力プラグ１３１Ｂに接続させる。さらに、ＣＰＵ１５３は、コンテンツ記録装置１４０のコンテンツサブユニット部１４３の記録入力プラグ１４３Ｂを論理的な記録内部接続１４３Ａにより第２デバイス入力プラグ１４１Ａに接続させ、ＨＤ装置１３０およびコンテンツ記録装置１４０をデータが移動可能に接続させる。そして、ＣＰＵ１５３は、ＨＤＤサブユニット部１３３にてＨＤに既に記録されているステップＳ６で選択したデータをデータバス１１０へ送出させるとともに、コンテンツサブユニット部１４３にてデータバス１１０に送出されたデータを取得して記録媒体へ記録する処理をする。なお、このステップＳ１０におけるデータの移動の際、コンテンツ送出装置１２０におけるデータの取得およびデータの送出、ＨＤ装置１３０における記録は継続して実行されている。
【００５２】
そして、このステップＳ１２において、データの移動が終了したことを認識すると、再びステップＳ１に戻ってデータの録画処理を継続させる。このデータの移動の終了としては、例えば所定期間毎にＣＰＵ１５３がＨＤ装置１３０の内部状態検出部１３３Ｅからの内部状態に関する状態を取得し、移動させるデータの全てを送出させた旨を認識したり、コンテンツ記録装置１４０のコンテンツサブユニット部１４３からの内部状態に関する情報を取得し、移動されるデータの記録が終了した旨を認識したりするなどにより認識することができる。なお、全てのデータの移動が終了した後にステップＳ１に戻る場合に限らず、移動を開始する処理の後、ある程度のデータ量のデータを移動したことを認識した後などにステップＳ１に戻る処理をするなどしてもよい。
【００５３】
そして、データの録画が終了し、出力手段にて録画したデータを適宜出力すなわち再生させる場合、利用者による入力手段１５５の所定の入力操作にてＣＰＵ１５３が再生処理を設定すると、ＣＰＵ１５３はＨＤ装置１３０およびコンテンツ記録装置１４０からそれぞれ内部状態に関する情報を取得して、再生させるデータが記録されている機器を認識する。そして、ＣＰＵ１５３は、再生させるデータが記録された機器の内部接続を確立させてデータバス１１０へ出力させ、適宜出力手段へ送出させて再生させる処理をする。
【００５４】
具体的には、ＨＤ装置１３０に記録されたデータを再生する場合、ＣＰＵ１５３は、論理的な第２ＨＤＤ内部接続１３３Ｃを確立させ、ＨＤＤサブユニット部１３３の論理的なＨＤ出力プラグ１３３Ｄを第１デバイス出力プラグ１３１Ｂに接続させ、ＨＤに記録されたデータをデータバス１１０へ送出させる。また、コンテンツ記録装置１４０に記録されたデータを再生する場合、ＣＰＵ１５３は、論理的な第２記録内部接続１４３Ｃを確立させ、コンテンツサブユニット部１４３の論理的な記録出力プラグ１４３Ｄを第２デバイス出力プラグ１４１Ｂに接続させ、記録媒体に記録されたデータをデータバス１１０へ送出させる。
【００５５】
（第１の実施の形態の作用効果）
上述したように、上記第１の実施の形態では、ネットワークコントローラ１５０のＣＰＵ１５３により、コンテンツ送出装置１２０のデータ取得部１２２で取得したデータを、ＨＤ装置１３０へ送出させてＨＤＤ本体部１３２に記録させつつ、このデータの記録中にＨＤＤサブユニット部１３３の内部状態検出部１３３Ｅにて検出したＨＤＤ本体部１３２のＨＤの空き容量が所定値以下となったか否かを判断する。そして、所定値以下となったことを認識すると、このＨＤＤ本体部１３２で既に記録されている他のデータを、コンテンツ記録装置１４０へ移動させて記録させる。
【００５６】
このため、例えばあらかじめ録画するデータに基づいて空き容量を確保しておく構成では録画するデータが録画中にデータ量が多くなる信号種別に切り替わるなどにより、あらかじめ確保した空き容量では足りなくなって録画できなくなってしまうような場合でも、本実施の形態ではデータの記録状況に応じて変動するＨＤの空き容量の残量に対応して既に記録されているデータを適宜移動させて空き容量を確保するので、データの記録状況に応じてデータを適切に録画できる。また、記録するデータをＨＤ装置１３０およびコンテンツ記録装置１４０に分割して記録させたり、移動するデータを複数のコンテンツ記録装置１４０へ分割して移動して記録させたりするなど、１つのデータを分割して別々の機器に記録することなく、１つのデータとしてまとめて記録するので、データの管理が煩雑となることはなく、例えば再生のためにデータを読み出すなどの処理が容易にでき、処理効率を向上できる。
【００５７】
そして、ＨＤの空き容量が所定値以下となったことを認識すると、コンテンツ記録装置１４０における空き容量を認識し、この認識した空き容量が所定値以上であることを認識することで、ＨＤに既に記録されているデータをそのコンテンツ記録装置１４０へ移動させる。このため、データの記録状況に対応して空き容量を確保し確実にデータを記録するための構成が容易に得られる。
【００５８】
また、複数のコンテンツ記録装置１４０が接続される場合、コンテンツ記録装置１４０の空き容量を順次認識し、所定値以上の空き容量を有するコンテンツ記録装置１４０にデータを移動している。このため、全てのコンテンツ記録装置１４０の空き容量を認識する必要がなく、処理効率の向上が容易に図れる。
【００５９】
そして、ＩＥＥＥ１３９４の規格に基づく情報が通過可能なデータバス１１０を介して記録のためのデータの送受信やデータの移動を実施している。このため、例えばＨＤ装置１３０のようなデータを記録しつつデータを移動させることが可能な機器を用いることができる。したがって、ＨＤ装置１３０においてデータの記録および移動の切替が必要な機器に比して効率的なデータの記録ができるとともに、データを移動させている間に取得するデータを一時的に貯めておくバッファなどの構成も不要となり、構成の簡略化が容易に図れる。
【００６０】
また、コンテンツ記録装置１４０にデータを移動できる所定値以上の空き容量がない場合には、データの記録を停止している。このため、データを取得する動作や記録が中断するにもかかわらずデータを記録する動作などの無用の動作を防止でき、消費電力の浪費を防止できる。
【００６１】
〔第２の実施の形態〕
次に、本発明の情報記録装置における第２の実施の形態を図面に基づいて説明する。この第２の実施の形態は、第１の実施の形態におけるＨＤ装置１３０およびコンテンツ記録装置１４０が一体的に構成、すなわち１つの記録機器で複数の記録部分を有した構成である。なお、複数の記録部分としては、ＨＤ装置１３０およびコンテンツ記録装置１４０の組み合わせのように異なるメディアに限らず、双方がＨＤ装置１３０やコンテンツ記録装置１４０のような同一の構成、あるいはＨＤ装置１３０におけるＨＤにパーテーションを設けて記録領域を複数に分割した構成などをも含む。図５は、第２の実施の形態における情報記録装置の概略構成を示すブロック図である。なお、第１の実施の形態と同一の構成要件については、同一の符号を付して説明を省略する。
【００６２】
（情報記録装置の構成）
図５において、２００は情報記録装置で、この情報記録装置２００は、データバス１１０と、コンテンツ送出装置１２０と、記録装置２１０と、ネットワークコントローラ１５０と、を備えている。そして、記録装置２１０は、コンテンツ送出装置１２０で取得されデータバス１１０へ送出されるデータを記録する。この記録装置２１０は、記録デバイスプラグ２１１と、ＨＤ装置１３０と、コンテンツ記録装置１４０と、を備えている。
【００６３】
記録デバイスプラグ２１１は、例えば論理的な概念であるデバイスプラグなどで、データバス１１０に着脱可能に接続される。この記録デバイスプラグ２１１は、記録デバイス入力プラグ２１１Ａおよび記録デバイス出力プラグ２１１Ｂを有している。記録デバイス入力プラグ２１１Ａは、データバス１１０を介してコンテンツ送出装置１２０から送出されたデータを受信する。また、記録デバイス出力プラグ２１１Ｂは、記録装置２１０からデータをデータバス１１０へ送出する。
【００６４】
そして、記録デバイス入力プラグ２１１Ａは、記録装置２１０の論理的な第１記録装置内部接続２１２Ａを介してＨＤ装置１３０の第１デバイス入力プラグ１３１Ａに接続されているとともに、記録装置２１０の論理的な第２記録装置内部接続２１２Ｂを介してコンテンツ記録装置１４０の第２デバイス入力プラグ１４１Ａに接続されている。これら接続により、ＨＤ装置１３０およびコンテンツ記録装置１４０は、記録デバイス入力プラグ２１１Ａで受信したデータを取得する。
【００６５】
また、記録デバイス出力プラグ２１１Ｂは、記録装置２１０の論理的な第３記録装置内部接続２１２Ｃを介してＨＤ装置１３０の第１デバイス出力プラグ１３１Ｂに接続されているとともに、記録装置２１０の論理的な第４記録装置内部接続２１２Ｄを介してコンテンツ記録装置１４０の第２デバイス出力プラグ１４１Ｂに接続されている。これら接続により、ＨＤ装置１３０およびコンテンツ記録装置１４０は、記録するデータをデータバス１１０へ送出する。
【００６６】
さらに、ＨＤ装置１３０の第１デバイス出力プラグ１３１Ｂは、記録装置２１０の論理的な第５記録装置内部接続２１２Ｅを介してコンテンツ記録装置１４０の第１デバイス入力プラグ１４１Ａに接続されている。この接続により、ＨＤ装置１３０に記録されているデータをコンテンツ記録装置１４０へ送出、すなわち移動可能となっている。
【００６７】
そして、ネットワークコントローラ１５０は、データバス１１０に接続されているコンテンツ送出装置１２０および記録装置２１０に接続され、これらコンテンツ送出装置１２０および記録装置２１０の動作を制御する。すなわち、ネットワークコントローラ１５０のＣＰＵ１５３は、コンテンツ送出装置１２０および記録装置２１０の論理的な内部接続、さらにはＨＤ装置１３０およびコンテンツ記録装置１４０の論理的な内部接続を適宜確立させ、データを適宜記録および移動させる。
【００６８】
（情報記録装置の動作）
次に、上記情報記録装置２００の録画動作を図面に基づいて説明する。この第２の実施の形態における録画動作は、第１の実施の形態におけるＨＤ装置１３０の空き容量の検出タイミングを適宜可変できる構成としたものである。図６は、データの録画動作を示すフローチャートである。なお、第１の実施の形態における図２のフローチャートに示す動作と同一の動作については、省略あるいは簡略化して説明する。
【００６９】
まず、利用者が電源を投入することで、ネットワークコントローラ１５０のＣＰＵ１５３が接続されている機器を認識してメモリ１５４に接続台数を記録させる。そして、利用者の入力操作にてデータが選択されて録画を開始させる旨が設定されると、ＣＰＵ１５３は、コンテンツ送出装置１２０を制御し、データ取得部１２２でデータを取得させコンテンツ送出部１２３で適宜処理させる。さらに、ＣＰＵ１５３は、送出装置内部接続１２３Ａを確立させるとともに、記録装置２１０における論理的な第１記録装置内部接続２１２ＡおよびＨＤ装置１３０における論理的な第１ＨＤＤ内部接続１３３Ｂを確立させ、記録デバイス入力プラグ２１１ＡをＨＤ装置１３０の第１デバイス入力プラグ１３１Ａを介して論理的なＨＤ入力プラグ１３３Ｂと接続させ、コンテンツ送出装置１２０とＨＤ装置１３０とをデータが送受信可能に接続させる。この接続により、コンテンツ送出装置１２０で取得されて変換されたデータがデータバス１１０を介してＨＤ装置１３０へ順次転送され、ＨＤＤサブユニット部１３３によりＨＤに順次記録させる。
【００７０】
そして、ＣＰＵ１５３は、データをＨＤ装置１３０に記録する時の空き容量の減少状態、例えば取得したデータのストリームデータのＨＤ装置１３０への伝送レートを認識し、この認識した伝送レートに基づいて待機時間Ｔｗを設定する（ステップＳ１０１）。具体的には、ＣＰＵ１５３がコンテンツ送出装置１２０のデバイス出力プラグ１２１に関する情報、例えば国際規格ＩＥＣ６１８８３−１におけるＯＰＣＲ（Ｏｕｔｐｕｔ  Ｐｌｕｇ  Ｃｏｎｔｒｏｌ  Ｒｅｇｉｓｔｅｒ）をデータバス１１０経由で読み取ることで認識することができる。この設定した待機時間Ｔｗは、メモリ１５４で適宜記憶させる。なお、空き容量の減少状態としては、伝送レートに限らず、データ取得部１２２における単位時間当たりのデータ取得量となる転送レートを用いたり、内部状態に関する情報に基づいて実際の空き容量を認識して前回検出した空き容量からの減少状況を認識したりするなどが例示できる。
【００７１】
この後、ＣＰＵ１５３は、ステップＳ１におけるデータの記録中か否かを判断し、データを記録中である場合にはステップＳ３でＨＤ装置１３０の空き容量を認識する。そして、ステップＳ４でＨＤ装置１３０の空き容量が十分であると判断した場合、ステップＳ１０１で設定した待機時間Ｔｗの経過を待ち（ステップＳ１０２）、ステップＳ１０１に戻ってデータの録画を継続させる処理をする。また、ステップＳ４において、ＨＤ装置１３０の空き容量が所定値以下であると判断した場合には、第１の実施の形態と同様に、ステップＳ６以降の処理を実施し、ＨＤ装置１３０にあらかじめ記録されている他のデータをコンテンツ記録装置１４０へ移動させてＨＤ装置１３０の空き容量を確保する処理を実施する。
【００７２】
具体的には、ＣＰＵ１５３は、記録装置２１０の論理的な第５記録装置内部接続２１２Ｅ、ＨＤ装置１３０の論理的な第２ＨＤＤ内部接続１３３Ｃおよびコンテンツ記録装置１４０の論理的な第１記録内部接続１４３Ａを確立させ、ＨＤ装置１３０およびコンテンツ記録装置１４０をデータが移動可能に接続させる。そして、ＣＰＵ１５３は、ＨＤＤサブユニット部１３３にてＨＤに既に記録されているステップＳ６で選択したデータを、第５記録装置内部接続２１２Ｅ、第２ＨＤＤ内部接続１３３Ｃおよび第１記録内部接続１４３Ａを介してコンテンツサブユニット部１４３へ移動させて記録媒体へ記録させる処理をする。
【００７３】
また、データの録画が終了し、出力手段にて録画したデータを適宜出力すなわち再生させる場合、ＣＰＵ１５３はＨＤ装置１３０およびコンテンツ記録装置１４０からそれぞれ内部状態に関する情報を取得して、再生させるデータが記録されている機器を認識する。そして、ＣＰＵ１５３は、再生させるデータが記録された機器の内部接続、すなわちＨＤ装置１３０に記録されているデータを再生する場合には第３記録装置内部接続２１２Ｃを、コンテンツ記録装置１４０に記録されているデータを再生する場合には第４記録装置内部接続２１２Ｄを確立させ、記録されているデータをデータバス１１０へ出力させ、適宜出力手段へ送出させて再生させる処理をする。
【００７４】
（第２の実施の形態の作用効果）
上述したように、上記第２の実施の形態では、第１の実施の形態と同様の作用効果に加え、ＨＤ装置１３０の空き容量の減少状態、例えば取得したデータのストリームデータのＨＤ装置１３０への伝送レートに基づいて、ステップＳ４におけるＨＤ装置１３０の空き容量を再び検出するためにステップＳ１０１に戻る待機時間Ｔｗを設定している。このため、伝送レートにより記録される単位時間当たりのデータ量が対応して変動し空き容量の残量の変動割合が変動しても、空き容量の検出タイミングを合わせて変動させるので、次の検出までに空き容量がなくなって録画できなくなることを防止でき、より確実に記録状況に対応したデータの録画ができる。
【００７５】
また、１つの記録装置２１０内でデータを移動させるため、データバス１１０を介して移動させる場合に比してより高速に移動させることが可能となり、処理効率の向上が容易に図れる。
【００７６】
〔第３の実施の形態〕
次に、本発明の情報記録装置における第３の実施の形態を図面に基づいて説明する。この第３の実施の形態は、上述した第１の実施の形態および第２の実施の形態におけるコンテンツ送出装置１２０を別体とし、独自の接続形態による接続経由でＨＤ装置１３０にデータを送出して記録させる構成としたものである。図７は、第３の実施の形態における情報記録装置の概略構成を示すブロック図である。なお、第１の実施の形態および第２の実施の形態と同一の構成については、同一の符号を付して説明する。
【００７７】
図７において、３００は情報記録装置で、この情報記録装置３００には、データを取得するコンテンツ送出装置１２０が例えばローカル接続３１０を介して着脱可能に接続されている。この情報記録装置３００は、データバス１１０と、ＨＤ装置１３０と、コンテンツ記録装置１４０と、ネットワークコントローラ１５０と、を備えている。
【００７８】
ローカル接続３１０は、コンテンツ送出装置１２０のデバイス出力プラグ１２１と、ＨＤ装置１３０の第１デバイス入力プラグ１３１Ａとをデータが送受信可能に接続する。このローカル接続３１０は、ＩＥＥＥ１３９４に限らず、データをアナログあるいは他のいずれのデジタル信号として伝送するいずれのインターフェースが適用できる。そして、ケーブルを利用する有線、あるいは無線媒体を利用する無線のいずれの形態でもよい。この第３の実施の形態では、ＨＤ装置１３０の１３１Ａが本発明のデータ取得手段に相当する。
【００７９】
さらに、ネットワークコントローラ１５０は、データバス１１０に接続されているＨＤ装置１３０およびコンテンツ記録装置１４０に接続され、これらＨＤ装置１３０およびコンテンツ記録装置１４０の動作を制御する。すなわち、ネットワークコントローラ１５０のＣＰＵ１５２は、これらＨＤ装置１３０およびコンテンツ記録装置１４０の論理的な内部接続を適宜確立させ、データの記録、移動および再生のための出力を適宜実施させる。なお、別体のコンテンツ送出装置１２０は、例えばこのコンテンツ送出装置１２０に設けられた図示しない入力手段における入力操作にて適宜設定される動作内容に基づいて、データを取得あるいは内部接続を適宜確立させてローカル接続３１０を介してデータをＨＤ装置１３０へ送出する。
【００８０】
そして、この図７に示す第３の実施の形態における情報記録装置３００では、適宜データの録画を開始させる旨の入力操作による設定にて、第１の実施の形態あるいは第２の実施の形態における動作と同様に、内部接続を適宜確立させて取得したデータをＨＤ装置１３０に記録させ、適宜検出するＨＤ装置１３０の空き容量が所定値以下となったことを認識すると、内部接続を適宜確立させてデータバス１１０を介して既にＨＤＤ本体部１３２に記録されている他のデータをコンテンツ記録装置１４０へ移動させて空き容量を確保する処理をする。このように、図７に示す第３の実施の形態についても、第１の実施の形態および第２の実施の形態と同様の作用効果を奏する。
【００８１】
なお、この図７に示す第３の実施の形態において、ネットワークコントローラ１５０とコンテンツ送出装置１２０とを各種情報を送受信可能に接続し、ＣＰＵ１５３にてコンテンツ送出装置１２０の動作を制御するようにしてもよい。この構成によれば、コンテンツ送出装置１２０を動作させるための入力操作を実施することなく、ＣＰＵ１５３にて制御でき、取扱性を向上できる。
【００８２】
また、コンテンツ送出装置１２０をネットワークコントローラ１５０内に一体的に設け、データバス１１０へ取得して処理したデータを送出させるなどしてもよい。
【００８３】
〔第４の実施の形態〕
次に、本発明の情報記録装置における第４の実施の形態を図面に基づいて説明する。この第４の実施の形態は、第１の実施の形態におけるネットワークコントローラ１５０にＨＤ装置１３０を一体的に設けた構成である。この第４の実施の形態では、録画するデータおよび移動させるデータをデータバス１１０を介して送受信させる構成について説明するが、例えば内部バス１５１およびインターフェース部１５２を経由してデータバス１１０を介して記録・移動する処理としたり、内部状態に関する情報を内部バス１５１を介して取得するなどしてもよい。図８は、第４の実施の形態における情報記録装置の概略構成を示すブロック図である。なお、第１の実施の形態ないし第３の実施の形態と同一の構成については、同一の符号を付して説明する。
【００８４】
図８において、４００は情報記録装置で、この情報記録装置４００は、データバス１１０と、コンテンツ送出装置１２０と、コンテンツ記録装置１４０と、ネットワークコントローラ４１０と、を備えている。
【００８５】
ネットワークコントローラ４１０は、内部バス１５１と、インターフェース部１５２と、ＣＰＵ１５３と、メモリ１５４と、入力手段１５５と、ＨＤ装置１３０と、を備えている。そして、ＨＤ装置１３０は、内部バス１５１に接続されてＣＰＵ１５３にて動作制御されるとともに、ＨＤ装置１３０の第１デバイスプラグ１３１がデータバス１１０にデータを送受信可能に接続されている。なお、図８は、説明の都合上、論理的な第１ＨＤＤ内部接続１３３Ａおよび第２ＨＤＤ内部接続１３３Ｃと、ＨＤＤサブユニット部１３３のＨＤ入力プラグ１３３ＢおよびＨＤ出力プラグ１３３ＤとをＨＤ装置１３０の枠外に示しているが、上述した第１の実施の形態と同様である。
【００８６】
また、ネットワークコントローラ４１０は、データバス１１０に接続されているコンテンツ送出装置１２０およびコンテンツ記録装置１４０に接続され、これらコンテンツ送出装置１２０およびコンテンツ記録装置１４０の動作を制御する。すなわち、ネットワークコントローラ４１０のＣＰＵ１５３は、データバス１１０を介してコンテンツ送出装置１２０およびコンテンツ記録装置１４０の論理的な内部接続、さらには内部バス１５１を介してＨＤ装置１３０の論理的な第１ＨＤＤ内部接続１３３Ａおよび第２ＨＤＤ内部接続１３３Ｃを適宜確立させ、データの送出、記録、移動および再生のための出力を適宜実施させる。
【００８７】
そして、この第４の実施の形態における情報記録装置４００では、適宜データの録画を開始させる旨の入力操作による設定にて、第１の実施の形態あるいは第２の実施の形態における動作と同様に、内部接続を適宜確立させて取得したデータをＨＤ装置１３０に記録させ、適宜検出するＨＤ装置１３０の空き容量が所定値以下となったことを認識すると、内部接続を適宜確立させてデータバス１１０を介して既にＨＤＤ本体部１３２に記録されている他のデータをコンテンツ記録装置１４０へ移動させて空き容量を確保する処理をする。このように、図８に示す第４の実施の形態についても、第１の実施の形態ないし第３の実施の形態と同様の作用効果を奏する。また、第４の実施の形態については、ＨＤ装置１３０がネットワークコントローラ１５０内に一体的に組み込まれた構成であることから、ＣＰＵ１５３によるＨＤＤサブユニット部１３３の制御の高速化が容易に図れ、処理効率の向上が図れる。
【００８８】
なお、この図８に示す第４の実施の形態において、ＨＤ装置１３０の第１デバイスプラグ１３１をデータバス１１０に接続してデータバス１１０を経由してデータを記録および移動させる構成について説明したが、上述したように、例えばＨＤ装置１３０を直接データバス１１０に接続せず、例えば内部バス１５１およびインターフェース部１５２を介してデータを記録および移動させるようにしてもよい。さらに、内部状態検出部１３３Ｅについても、ＣＰＵ１５３が内部バス１５１を介して内部状態に関する情報を取得するように内部バス１５１に接続させて説明したが、内部バス１５１に接続させず、データバス１１０に接続してもよい。なお、内部バス１５１を介して内部状態に関する情報を取得する構成では、情報を高速で取得することが可能となり、処理効率の向上が図れる。
【００８９】
〔第５の実施の形態〕
次に、本発明の情報記録装置における第５の実施の形態を図面に基づいて説明する。この第５の実施の形態は、第１の実施の形態におけるネットワークコントローラ１５０にコンテンツ記録装置１４０を一体的に設けた構成、すなわち第４の実施の形態のＨＤ装置１３０の代わりにコンテンツ記録装置１４０を一体的に組み込んだ構成である。この第５の実施の形態では、データバス１１０を介して移動されるデータをコンテンツ記録装置１４０で取得する構成について説明するが、例えば内部バス１５１およびインターフェース部１５２を経由してデータバス１１０を介して移動されるデータを取得するなどしてもよい。図９は、第５の実施の形態における情報記録装置の概略構成を示すブロック図である。なお、第１の実施の形態ないし第４の実施の形態と同一の構成については、同一の符号を付して説明する。
【００９０】
図９において、５００は情報記録装置で、この情報記録装置５００は、データバス１１０と、コンテンツ送出装置１２０と、ＨＳ装置１３０と、ネットワークコントローラ５１０と、を備えている。
【００９１】
ネットワークコントローラ５１０は、内部バス１５１と、インターフェース部１５２と、ＣＰＵ１５３と、メモリ１５４と、入力手段１５５と、コンテンツ記録装置１４０と、を備えている。そして、コンテンツ記録装置１４０は、内部バス１５１に接続されてＣＰＵ１５３にて動作制御されるとともに、コンテンツ記録装置１４０の第２デバイスプラグ１４１がデータバス１１０にデータを送受信可能に接続されている。なお、図９は、説明の都合上、論理的な第１記録内部接続１４３Ａおよび第２記録内部接続１４３Ｃと、コンテンツサブユニット部１４３の記録入力プラグ１４３Ｂおよび記録出力プラグ１４３Ｄとをコンテンツ記録装置１４０の枠外に示しているが、上述した第１の実施の形態と同様である。
【００９２】
また、ネットワークコントローラ５１０は、データバス１１０に接続されているコンテンツ送出装置１２０およびＨＤ装置１３０に接続され、これらコンテンツ送出装置１２０およびＨＤ装置１３０の動作を制御する。すなわち、ネットワークコントローラ５１０のＣＰＵ１５３は、データバス１１０を介してコンテンツ送出装置１２０およびＨＤ装置１３０の論理的な内部接続、さらには内部バス１５１を介してコンテンツ記録装置１４０の論理的な第１記録内部接続１４３Ａおよび第２記録内部接続１４３Ｃを適宜確立させ、データの送出、記録、移動および再生のための出力を適宜実施させる。
【００９３】
そして、この第５の実施の形態における情報記録装置５００では、適宜データの録画を開始させる旨の入力操作による設定にて、第１の実施の形態あるいは第２の実施の形態における動作と同様に、内部接続を適宜確立させて取得したデータをＨＤ装置１３０に記録させ、適宜検出するＨＤ装置１３０の空き容量が所定値以下となったことを認識すると、内部接続を適宜確立させてデータバス１１０を介して既にＨＤＤ本体部１３２に記録されている他のデータをコンテンツ記録装置１４０へ移動させて空き容量を確保する処理をする。このように、図９に示す第５の実施の形態についても、第１の実施の形態ないし第４の実施の形態と同様の作用効果を奏する。また、第５の実施の形態については、コンテンツ記録装置１４０がネットワークコントローラ１５０内に一体的に組み込まれた構成であることから、ＣＰＵ１５３によるコンテンツサブユニット部１４３の制御の高速化が容易に図れ、処理効率の向上が図れる。
【００９４】
なお、この図９に示す第５の実施の形態において、コンテンツ記録装置１４０の第２デバイスプラグ１４１をデータバス１１０に接続してデータバス１１０を経由してデータを記録および移動させる構成について説明したが、上述したように、例えばコンテンツ記録装置１４０を直接データバス１１０に接続せず、例えば内部バス１５１およびインターフェース部１５２を介して移動されるデータを取得および再生のための出力を実施するようにしてもよい。
【００９５】
〔第６の実施の形態〕
次に、本発明の情報記録装置における第６の実施の形態を図面に基づいて説明する。この第６の実施の形態は、第１の実施の形態におけるコンテンツ送出装置１２０およびＨＤ装置１３０を一体的に構成したものである。図１０は、第６の実施の形態における情報記録装置の概略構成を示すブロック図である。なお、第１の実施の形態ないし第５の実施の形態と同一の構成については、同一の符号を付して説明を省略する。
【００９６】
図１０において、６００は情報記録装置で、この情報記録装置６００は、データバス１１０と、データ取得記録装置６１０と、コンテンツ記録装置１４０と、ネットワークコントローラ１５０と、を備えている。そして、データ取得記録装置６１０は、記録するデータを取得するとともに記録する。このデータ取得記録装置６１０は、取得記録デバイスプラグ６１１と、コンテンツ送出装置１２０と、ＨＤ装置１３０と、を備えている。
【００９７】
取得記録デバイスプラグ６１１は、例えば論理的な概念であるデバイスプラグなどで、データバス１１０に着脱可能に接続される。この取得記録デバイスプラグ６１１は、このデータ取得記録装置６１０からデータをデータバス１１０へ送出する。そして、取得記録デバイスプラグ６１１は、データ取得記録装置６１０の論理的な第１内部接続６１２Ａを介してＨＤ装置１３０の第１デバイス出力プラグ１３１Ｂに接続されている。
【００９８】
また、ＨＤ装置１３０の第１デバイス入力プラグ１３１Ａは、データ取得記録装置６１０の論理的な第２内部接続６１２Ｂを介してコンテンツ送出装置１２０のデバイス出力プラグ１２１に接続されている。この接続により、コンテンツ送出装置１２０で取得してコンテンツ送出部１２３から送出されるデータがＨＤ装置１３０で直接取得可能となっている。
【００９９】
さらに、ネットワークコントローラ１５０は、データバス１１０に接続されているデータ取得記録装置６１０およびコンテンツ記録装置１４０に接続され、これらデータ取得記録装置６１０およびコンテンツ記録装置１４０の動作を制御する。すなわち、ネットワークコントローラ１５０のＣＰＵ１５３は、これらデータ取得記録装置６１０およびコンテンツ記録装置１４０の論理的な内部接続、さらにはコンテンツ送出装置１２０およびＨＤ装置１３０の論理的な内部接続を適宜確立させ、データの送出、記録、移動および再生のための出力を適宜実施させる。
【０１００】
そして、この図１０に示す第６の実施の形態における情報記録装置６００では、適宜データの録画を開始させる旨の入力操作による設定にて、第１の実施の形態あるいは第２の実施の形態における動作と同様に、内部接続を適宜確立させて取得したデータをＨＤ装置１３０に記録させ、適宜検出するＨＤ装置１３０の空き容量が所定値以下となったことを認識すると、内部接続を適宜確立させてデータバス１１０を介して既にＨＤＤ本体部１３２に記録されている他のデータをコンテンツ記録装置１４０へ移動させて空き容量を確保する処理をする。このように、図１０に示す第６の実施の形態についても、第１の実施の形態ないし第５の実施の形態と同様の作用効果を奏する。
【０１０１】
また、１つのデータ取得記録装置６１０内で取得したデータを移動させて記録させるため、データバス１１０を介して移動させる場合に比してより高速に移動させることが可能となり、処理効率の向上が容易に図れる。
【０１０２】
〔他の実施の形態〕
なお、本発明は、上述した各実施の形態に限定されるものではなく、本発明の目的を達成できる範囲で以下に示される変形をも含むものである。
【０１０３】
すなわち、第１の記録手段としてＨＤ装置１３０を用いて説明したが、ＨＤにデータを記録する構成に限らず、いずれの記録媒体にデータを記録および移動可能ないずれの構成でもできる。また、入力１個および出力１個の一対の論理的な概念であるデバイスプラグの第１デバイスプラグ１３１で説明したが、例えば２つのコンテンツストリームを同時に並行して記録したり、３つのコンテンツストリームを同時に並行して再生させるなど、複数並行処理できる構成としてもよい。同様に、コンテンツ記録装置１４０についても、いずれの記録媒体にデータを記録および記録したデータを再生のために出力可能ないずれかの構成でもできる。また、第１の記録手段および第２の記録手段は、記録媒体が着脱可能な構成、あるいは、ＨＤ装置１３０のように記録媒体を備えた構成のいずれでもよい。さらに、コンテンツ記録装置１４０としては、再生のためにデータを出力可能としたが、例えば第２記録内部接続を設けず、記録したデータを再生する場合には記録媒体を取り外して別途再生装置にて再生させる構成、さらには移動されるデータを取得して記録しつつ再生のために出力させる動作を同時に実施できる構成とするなどしてもよい。
【０１０４】
また、ＨＤ装置１３０として、データの記録および移動を同時に実施できる構成について説明したが、例えばデータの記録および移動を適宜切り替える構成のものを用いるなどしてもよい。このデータの記録および移動を切り替える構成の場合、データを記録している間はデータの移動を中断させ、データを移動している間ではデータの取得を中断させたり、データを移動している間に取得するデータを一時的に貯めておく例えばバッファのような記憶手段を設けたりするなどの構成が例示できる。
【０１０５】
また、コンテンツ記録装置１４０における空き容量が所定値以上でない場合にはデータの記録を停止して説明したが、例えば、上述したようにＨＤ装置１３０で記録できる限り記録させたり、データを圧縮処理してＨＤに記録させたり、コンテンツ記録装置１４０における空き容量で記録可能にＨＤに既に記録されているデータを圧縮して移動させたり、データを記録する際にデータのうちの一部を削除して記録あるいは移動すなわち削除しても再生の際に影響が生じにくいデータの一部を削除して記録あるいは移動したりするなどしてもよい。
【０１０６】
さらに、コンテンツ送出装置１２０、ＨＤ装置１３０およびコンテンツ記録装置１４０を一体的に構成してデータバス１１０に接続した構成とするなど、コンテンツ送出装置１２０、ＨＤ装置１３０およびコンテンツ記録装置１４０の組み合わせはいずれの組み合わせとすることもできる。
【０１０７】
また、コンテンツ記録装置１４０をデータバス１１０に接続させずに独自の接続形態にて適宜接続させる構成など、データバスに接続させる各コンテンツ送出装置１２０、ＨＤ装置１３０およびコンテンツ記録装置１４０の組み合わせはいずれの組み合わせとすることもでき、全てを独自の接続形態に接続させてもよい。なお、この構成では、ネットワークコントローラが本発明の演算手段としての情報記録装置となる。
【０１０８】
さらには、情報処理装置として例えば演算手段としてのコンピュータを用いたり、コンピュータに上記動作を実施させるためのプログラムそしてさらにはこのプログラムを記録した記録媒体をも本発明の対象とすることができる。また、演算手段としてのコンピュータとしては、パーソナルコンピュータに限らず、複数のコンピュータがネットワーク状に接続された構成、マイクロコンピュータなどの素子、あるいは複数の電子部品が搭載された回路基板などをも含む。
【０１０９】
そして、ＨＤ装置１３０の空き容量の減少状態に対応して空き容量を認識するタイミングを適宜可変する第２の実施の形態において、データを記録中にＨＤ装置１３０の空き容量が所定値以下となった場合にデータを記録しつつデータを移動させる構成について説明したが、例えばデータを移動させる際には記録を一次中断させるなど、記録および移動を同時に実施しない構成としてもよい。
【０１１０】
また、取得したデータを記録させる電子回路網やデータを移動させる電子回路網は、ＩＥＥＥ１３９４の規格に基づくデータが通過可能な電子回路網であるデータバス１１０に限らず、他のいずれの接続、例えば上述した図７に示すような独自の接続形態の接続経由で記録あるいは移動のためのデータの送受信を実施させてもよい。
【０１１１】
その他、本発明の実施の際に具体的な構造および手順は、本発明の目的を達成できる範囲での他の構造などに適宜変更できる。
【０１１２】
［実施の形態の作用効果］
上述したような実施の形態では、ネットワークコントローラ１５０のＣＰＵ１５３により、コンテンツ送出装置１２０のデータ取得部１２２で取得したデータを、ＨＤ装置１３０へ送出させてＨＤＤ本体部１３２のＨＤに記録させつつ、このデータの記録中にＨＤＤサブユニット部１３３の内部状態検出部１３３Ｅにて検出したＨＤＤ本体部１３２のＨＤの空き容量が所定値以下となったか否かを判断する。そして、所定値以下となったことを認識すると、ＨＤＤ本体部１３２で既に記録されている他のデータを、コンテンツ記録装置１４０へ移動させて記録させる。
【０１１３】
このため、例えばあらかじめ録画するデータに基づいて空き容量を確保しておく構成では録画するデータが録画中にデータ量が多くなる信号種別に切り替わるなどにより、あらかじめ確保した空き容量では足りなくなって録画できなくなってしまうような場合でも、本実施の形態ではデータの記録状況に応じて変動するＨＤの空き容量の残量に対応して既に記録されているデータを適宜移動させて空き容量を確保するので、データの記録状況に応じてデータを適切に録画できる。
【０１１４】
また、ＨＤ装置１３０の空き容量の減少状態、例えば取得したデータのストリームデータのＨＤ装置１３０への伝送レートに基づいて、ＨＤ装置１３０の空き容量を再び検出する際の待機時間Ｔｗを設定する。このため、伝送レートにより記録される単位時間当たりのデータ量が対応して変動し空き容量の残量の変動割合が変動しても、空き容量の検出タイミングを合わせて変動させるので、次の検出までに空き容量がなくなって録画できなくなることを防止でき、より確実に記録状況に対応したデータの録画ができる。
【図面の簡単な説明】
【図１】本発明の第１の実施の形態に係る情報処理装置の概略構成を示すブロック図である。
【図２】前記第１の実施の形態におけるデータの記録動作を示すフローチャートである。
【図３】前記第１の実施の形態におけるデータをＨＤ装置に記録する状態を説明するブロック図である。
【図４】前記第１の実施の形態におけるデータを記録しつつ移動する状態を説明するブロック図である。
【図５】本発明の第２の実施の形態に係る情報処理装置の概略構成を示すブロック図である。
【図６】前記第２の実施の形態におけるデータの記録動作を示すフローチャートである。
【図７】本発明の第３の実施の形態に係る情報処理装置の概略構成を示すブロック図である。
【図８】本発明の第４の実施の形態に係る情報処理装置の概略構成を示すブロック図である。
【図９】本発明の第５の実施の形態に係る情報処理装置の概略構成を示すブロック図である。
【図１０】本発明の第６の実施の形態に係る情報処理装置の概略構成を示すブロック図である。
【符号の説明】
１００，２００，３００，４００，５００，６００    情報処理装置
１１０    電子回路網であるデータバス
１２２    データ取得手段としてのデータ取得部
１３０    第１の記録手段としてのＨＤ装置
１３３Ａ  データ取得手段としての第１デバイス入力プラグ
１３３Ｅ  内部状態検出手段としての内部状態検出部
１４０    第２の記録手段としてのコンテンツ記録装置
１５２    制御手段としての演算手段であるＣＰＵ
【図１】
2005026777.tif 000003
【図２】
2005026777.tif 000004
【図３】
2005026777.tif 000005
【図４】
2005026777.tif 000006
【図５】
2005026777.tif 000007
【図６】
2005026777.tif 000008
【図７】
2005026777.tif 000009
【図８】
2005026777.tif 000010
【図９】
2005026777.tif 000011
【図１０】
2005026777.tif 000012